(57)【要約】【課題】昇降機における情報表示のセキュリティー性の向上と、利便性の向上を図る。【解決手段】エレベータの操作盤に表示されたＡＲタグ１を、撮像装置と表示装置とを備えたスマートフォンにより前記操作盤と共に撮影し、撮影した画像を前記表示装置に表示させ、表示された前記ＡＲタグ１と前記操作盤のかごの呼び釦の画像に、前記ＡＲタグ１によって指定された情報（案内情報３ｂ、在席・離席情報３ｃ、宣伝・広告情報３ｄ）３を重畳して表示させ、部外者や権限がない者に対しては案内情報等の提供を不可とする。【選択図】図１
2015228072.tif 000002
【特許請求の範囲】
【請求項１】
昇降機の一部に表示されたＡＲタグと、
撮像手段及び表示手段、並びに前記ＡＲタグを前記昇降機の一部と共に撮影し、撮影画像を表示装置に表示させ、表示された前記ＡＲタグと前記昇降機の一部の画像に前記ＡＲタグによって指定された情報を重畳して表示させる制御手段を含む情報機器と、
を備えた昇降機の情報表示システム。
【請求項２】
請求項１に記載の昇降機の情報表示システムであって、
前記昇降機の一部が、エレベータの運転盤であることを特徴とする昇降機の情報表示システム。
【請求項３】
請求項１に記載の昇降機の情報表示システムであって、
前記昇降機の一部が、エレベータホールの操作盤であることを特徴とする昇降機の情報表示システム。
【請求項４】
請求項１に記載の昇降機の情報表示システムであって、
前記昇降機の一部が、エレベータのかご内の一部またはエスカレータの一部であることを特徴とする昇降機の情報表示システム。
【請求項５】
請求項１ないし４のいずれか１項に記載の情報表示システムであって、
前記指定された情報が、階床情報、階床毎の案内情報、階床毎の在席・離席情報、宣伝・広告情報の１つを含むことを特徴とする昇降機の情報表示システム。
【請求項６】
請求項１ないし５のいずれか１項に記載の昇降機の情報表示システムであって、
前記情報機器が、スマートフォン、カメラ付きパソコン、カメラ付き携帯及びデジタルカメラのうちの１つであることを特徴とする昇降機の情報表示システム。
【請求項７】
請求項６に記載の昇降機の情報表示システムであって、
前記情報機器には、制御手段としてＡＲ機能を実現するソフトウェアが予めインストールされていることを特徴とする昇降機の情報表示システム。
【請求項８】
昇降機の一部に表示されたＡＲタグを、撮像手段と表示手段とを備えた情報機器により前記昇降機の一部と共に撮影し、
撮影した画像を前記表示手段に表示させ、
表示された前記ＡＲタグと前記昇降機の一部の画像に、前記ＡＲタグによって指定された情報を重畳して表示させること
を特徴とする昇降機の情報表示方法。
【発明の詳細な説明】
【技術分野】
【０００１】
本発明は、昇降機の情報表示システム及び情報表示方法に係り、さらに詳しくは  エレベータやエスカレータ等の昇降機の情報をＡＲ(仮想現実)によって重畳して表示する情報表示システム及び情報表示方法に関する。
【背景技術】
【０００２】
一般に事務所ビル等においては、各階に入居している入居者を表示し、案内するための案内板を入口のホール等に設けている。また、その案内板はエレベータのホールやエレベータのかご内に表示されている場合もある。また、マンション等の居住用ビルにおいては居住者の苗字や氏名が同様に表示されている場合がある。
【０００３】
一方、近年カメラ等で撮影した画像に所定の画像を重ねて表示する、いわゆるＡＲ(仮想現実)技術が普及しつつある。例えば、窓付きエレベータの窓部分にＡＲ技術を採用することによって、景色に関する情報を、景色に重畳するように表示する技術が例えば特開２０１２−６８４８１号公報（特許文献１）に開示されている。この技術は、記憶手段を備えたコンピュータと、当該コンピュータとデータ通信回線で接続された眺望者の前方に設置された透過型ディスプレイと、透過型ディスプレイの設置されている場所の地理座標（Ｘｇ，Ｙｇ，Ｚｇ）を計測する地理位置計測センサおよび眺望者の視点位置を計測する視点位置計測センサとを備え、前記コンピュータは、位置・姿勢算出部と、ディスプレイ位置算出部と、視点位置算出部と、描画方法指定部と、ＣＧ描画部とを含む構成となっている。
【先行技術文献】
【特許文献】
【０００４】
【特許文献１】特開２０１２−０６８４８１号公報
【発明の概要】
【発明が解決しようとする課題】
【０００５】
従来の事務所ビルや住居用ビルにおける案内方法では、誰でも見ることができるエリアに案内板が掲示されている。そのため、例えば会社の構成や事業内容等を案内板により推察されるおそれがあった。また、住居用ビルにおいては居住者の都合により居住者の苗字や氏名が表示されない場合があり、この場合には、訪間者や配達員がその居住者を確認することができなかった。また、案内板の情報は入居者が変わる度に最新の情報に更新することが必要であるが、この更新作業にも時間と手間を要していた。
【０００６】
そこで、本発明が解決しようとする課題は、このような情報表示のセキュリティー性の向上と、利便性の向上を図ることにある。
【課題を解決するための手段】
【０００７】
前記課題を解決するために、本発明は、昇降機の一部に表示されたＡＲタグと、撮像手段及び表示手段、並びに前記ＡＲタグを前記昇降機の一部と共に撮影し、撮影画像を表示装置に表示させ、表示された前記ＡＲタグと前記昇降機の一部の画像に前記ＡＲタグによって指定された情報を重畳して表示させる制御手段を含む情報機器と、を備えた昇降機の情報表示システムを特徴とする。
【発明の効果】
【０００８】
本発明によれば、昇降機における情報表示のセキュリティー性の向上と、利便性の向上を図ることができる。
【図面の簡単な説明】
【０００９】
【図１】本発明の実施例１に係るエレベータのかご内の運転盤の状態を示す説明図である。
【図２】図１におけるＡＲタグに含まれている情報を示す説明図である。
【図３】本発明におけるＡＲ(仮想現実)によるエレベータの情報表示の手順を示すフローチャートである。
【図４】本発明の実施例２に係るエレベータホールの操作盤の状態を示す説明図である。
【図５】図４におけるＡＲタグに含まれている情報を示す説明図である。
【発明を実施するための形態】
【００１０】
以下、本発明の実施形態について、複数の実施例を挙げて説明する。
【実施例１】
【００１１】
図１は実施例１に係るエレベータのかご内の運転盤の状態を示す説明図である。同図において、図示しないエレベータのかご内には、運転盤２とＡＲタグ１が設けられている。運転盤２には、ＡＲタグ１の他に、かごを運転する階床を指定するかごの呼び釦２１，２２，２３が設けられている。
【００１２】
ＡＲタグ１は、ＡＲ（Augmented Reality:仮想現実）機能を有する情報機器に対して、重畳情報を表示すると共に、重畳情報の内容を含む情報を例えば二次元バーコードで表示するものである。このＡＲタグ１は専用の表示手段で表示しても良く、かご内に設けられた液晶ディスプレイの一部に表示してもよい。また、二次元バーコードでなくとも、撮像装置によって読みとって所望のデジタル情報に変換できる機能を有するものであればよい。
【００１３】
前記ＡＲ機能を有する情報機器は、撮像機能と表示機能とを備えた情報機器であり、例えばカメラ付きスマートフォン、カメラ付きパソコン、カメラ付き携帯あるいはデジタルカメラ等を使用することができる。本実施例ではＡＲ機能を実現するソフトウェアが予めインストールされたスマートフォンを使用する。スマートフォンのＣＰＵは、当該スマートフォンに搭載されたメモリを使用して前記ソフトウェアを実行し、前記ＡＲ機能を実現する本発明における制御手段に相当する。なお、スマートフォンは、いわゆる携帯電話の一形態であり、通常、ＬＣＤ画面とタッチパネルとを主たるユーザーインタフェースデバイスとする多機能携帯電話である。
【００１４】
図２はＡＲタグ１に含まれている情報３を示す説明図である。この情報３は、図示しないエレベータの制御盤によって作成され、ＡＲタグ１として表示されている内容を示す。この情報３は重畳表示を行う場所を特定するための情報３ａ及び重畳表示の内容を含んでいる。例えば、図２において、重畳表示を行う場所を特定するための情報３ａは、図１の運転盤２に設けられたかごの呼び釦２１，２２，２３に表示されている階床の名称、ここでは、「１」「２」「３」が記録されている。重畳表示の内容は、例えば各階床に入居している会社名、部署名などの案内３ｂ、各階床の人員の在席・離席状況３ｃ、宣伝・広告３ｄなどの情報３が含まれている。これらの情報３は所定の手順で圧縮された後、専用の表示装置あるいはかご内に設けられた液晶ディスプレイの一部に二次元バーコードとして表示される。また、前記重畳表示の内容は、適宜更新される。
【００１５】
図３は  ＡＲ(仮想現実)によるエレベータの情報を表示する手順を示すフローチャートである。本実施例では、エレベータを利用する乗客は、ＡＲ機能を実現するソフトウェアがあらかじめインストールされているスマートフォンを携帯してエレベータを利用することを前提としている。
【００１６】
まず、乗客はスマートフォンのＡＲ機能を実現するソフトウェアを起動させ、エレベータのかごの運転盤２とＡＲタグ１とを含む画像をスマートフォンのカメラ機能（撮像装置）を使用して撮影し、スマートフォンのディスプレイ（表示装置）にこの画像を表示する（手順Ｓ１）。前記ＡＲ機能を実現するソフトウェアはディスプレイに表示された画像内を探索し（手順Ｓ２）、ＡＲタグ１の有無を判断する（手順Ｓ３）。
【００１７】
ＡＲタグ１が前記画像内に発見された場合、前記ソフトウェアはＡＲタグ１の二次元バーコードを解析し（手順Ｓ４）、圧縮を解除して図２に示す情報を取り出す（手順Ｓ５）。次に、前記ソフトウェアは前記情報３の重畳表示を行う場所を特定するための情報３ａを参照し、前記画像を検索して関連する画像の位置を特定する（手順Ｓ６）。例えば、重畳表示を行う場所を特定するための情報３ａが「１」であった場合には、関連する画像の位置はかごの呼び釦２１の位置となる。
【００１８】
次いで、前記ソフトウェアは前記情報３の重畳表示の内容を示す情報３ｂ，３ｃ，３ｄを参照し、重畳表示の内容を関連する画像の位置に、例えば吹き出し図形を描画して表示する（手順Ｓ７）。これにより乗客は、ディスプレイに表示されたＡＲ画像を見ることができる。ＡＲ画像は、本実施例では、かごの呼び釦２１の付近に吹き出し図形が重畳して描画され、その吹き出し図形の中に各階床に入居している会社名、部署名などの案内３ｂ、各階床の人員の在席・離席状況３ｃ、宣伝、広告３ｄ等の情報が表示された画像である。
【００１９】
これらの動作を、各重畳表示を行う場所を特定する情報３ａの全てに対して実施することにより、乗客は図１に示すように、かごの呼び釦２１，２２，２３の近傍に案内情報を含む重畳画像２１ａ，２２ａ，２３ａが表示されたＡＲ画像を見ることができる（手順Ｓ６〜Ｓ８）。なお、図１は表示の一例を示しており、手順Ｓ８で「Ｙ」の場合には、図２に示した各階床に入居している会社名、部署名などの案内３ｂ、各階床の人員の在席・離席状況３ｃ、宣伝、広告３ｄ等の情報の全てが表示されることになるが、ここでは、その中の所望の情報を表示した状態を示している。所望の情報は、例えばスマートフォンのディスプレイに表示された吹き出し内をタッチし、あるいはスワイプすることによって選択表示された状態を示している。
【００２０】
乗客は、このようにスマートフォンのディスプレイに表示されたＡＲ画像を参照することにより、かご内に案内板が掲示されていなくても、各階床への案内画像（２１ａ）や在席情報画像（２１ｂ）を得ることができる。これにより、かご内に案内板を掲示する必要がなくなるので、セキュリティー性を確保した上で、乗客への案内表示を行うことが可能となる。
【実施例２】
【００２１】
図４は実施例２に係るエレベータホールの操作盤の状態を示す説明図である。同図において、図示しない２階のエレベータホールには、操作盤５とＡＲタグ４が設けられている。ＡＲタグ４は実施例１と同様にＡＲ機能を有する情報機器に対して、重畳情報を表示すると共に、重畳情報の内容を含む情報を例えば二次元バーコードで表示するものである。このＡＲクグ４は専用の表示装置で表示しても良く、操作盤５に設けられた液晶ディスプレイの一部に表示してもよい。また、実施例１と同様に二次元バーコードでなくともよい。また、前記ＡＲ機能を有する情報機器も、実施例１と同様のものである。
【００２２】
図５は２階のエレベータホールに表示されたＡＲタグ４に含まれている情報を示す説明図である。この情報６は、図示しないエレベータの制御盤によって作成され、ＡＲタグ４として表示されている内容を示す。この情報６は重畳表示を行う場所を特定するための情報６ａ及び重畳表示の内容を含んでいる。例えば、図５において、重畳表示を行う場所を特定するための情報６ａは、図４の操作盤５となる。重畳表示の内容としてはＡＲタグ４を読み込んだ階床と各階床の名称６ａ、ここでは、「１」「２」「３」が記録されている。また、例えば各階床に入居している会社名、部署名などの案内６ｂ、各階床の人員の在席・離席状況６ｃ、宣伝・広告６ｄなどの情報６が含まれている。これらの情報６は所定の手順で圧縮された後、専用の表示装置あるいはかご内に設けられた液晶ディスプレイの一部に二次元バーコードとして表示される。また、前記重畳表示の内容は適宜更新される。
【００２３】
実施例２においても、前記図３に示したフローチャートと同様の手順でＡＲ(仮想現実)によるエレベータの情報が表示される。また、本実施例においても、エレベータを利用する乗客は、ＡＲ機能を実現するソフトウェアがあらかじめインストールされているスマートフォンを携帯してエレベータを利用することを前提としている。
【００２４】
このフローチャートでは、まず、乗客はスマートフォンのＡＲ機能を実現するソフトウェアを起動させ、エレベータホールの操作盤５とＡＲタグ４とを含む画像をスマートフォンのカメラ機能を使用して撮影し、スマートフォンのディスプレイにこの画像を表示する（手順Ｓ１）。前記ＡＲ機能を実現するソフトウェアは前記画像内を探索し（手順Ｓ２）、ＡＲタグ４の有無を判断する（手順Ｓ３）。
【００２５】
ＡＲタグ４が前記画像内に発見された場合、前記ソフトウェアはＡＲタグ４の二次元バーコードを解析し（手順Ｓ４）、圧縮を解除して図５に示す情報を取り出す（手順Ｓ５）。次に、前記ツフトウェアは前記情報６の重畳表示を行う場所を特定するための情報６ａを参照し、前記画像を検索して関連する画像の位置を特定する（手順Ｓ６）。例えばエレベータホールで重畳表示を行う場所を特定するための情報６ａは、図４に示すように関連する画像の位置、すなわち操作盤５の位置となる。次いで、前記ソフトウェアは前記情報６の重畳表示の内容を参照し、重畳表示の内容を関連する画像の位置に、例えば吹き出し図形を描画して表示する（手順Ｓ７）。これにより乗客は、ディスプレイに表示されたＡＲ画像を見ることができる。ＡＲ画像は、本実施例では、操作盤５の付近に吹き出し図形が重畳して描画され、その吹き出し図形の中に各階床に入居している会社名、部署名などの案内６ｂ、各階床の人員の在席・離席状況６ｃ、宣伝・広告６ｄ等の情報が表示された画像である。また、ＡＲ画像では現在の階床を赤く表示することにより位置の把握が容易になっている。
【００２６】
これらの動作を、各重畳表示を行う場所を特定する情報６ａに対しても実施することにより、乗客は図４に示すように、操作盤５の近傍に案内情報を含んだ重畳画像５ａが表示されたＡＲ画像を見ることができる（手順Ｓ６〜Ｓ８）。なお、図４は表示の一例を示しており、手順Ｓ８で「Ｙ」の場合には、図５に示した各階床に入居している会社名、部署名などの案内６ｂ、各階床の人員の在席・離席状況６ｃ、宣伝、広告６ｄ等の情報の全てが表示されることになるが、ここでは、その中の所望の情報を表示した状態を示している。所望の情報は、例えばスマートフォンのディスプレイに表示された吹き出し内をタッチし、あるいはスワイプすることによって選択表示された状態を示している。
【００２７】
事務所ビルや居住用ビル等を利用する人はこのように表示されたＡＲ画像を参照することにより、エントランスに案内板が掲示されていなくても、各階床の案内情報、在席情報、宣伝・広告情報が表示された重畳画像５ａを表示することができる。これにより、実施例２においても、かご内に案内板を掲示する必要がなくなるので、セキュリティー性を確保した上で、乗客への案内表示を行うことが可能となる。
【実施例３】
【００２８】
実施例１及び実施例２では、ＡＲタグ１，４と共にエレベータの運転盤２や操作盤５といった場所を撮像機能と表示機能とを備えたスマートフォンなどの情報機器を使用して撮影することによりＡＲ(仮想現実)による情報を表示するように構成されているが、本発明は前記エレベータの運転盤２や操作盤５といった箇所に限らず適用することができる。例えばＡＲタグ１，４をエレベータのハッチドア、かご内の側板等に表示することも可能である。このような位置に表示すると、ＡＲタグ１，４を読み取ろうとする利用者が一箇所に集中することを防止することが可能となり、利用者の利便性に寄与することができる。
【００２９】
また、エレベータに限らずエスカレータ等にも適用することができる。例えばデパートやショッピングセンターに設置されているエスカレータの場合、エスカレータの一部にＡＲタグを表示し、あるいはエスカレータの近傍に当該エスカレータと関連付けてＡＲタグを表示し、前記スマートフォンなどの撮像機能と表示機能とを有する情報機器で前記ＡＲタグを読み取ることにより、各階の案内や人気のフロアランキング等の案内情報あるいは利用情報を表示させること等が可能になる。エスカレータと階床等を関連付けた案内情報あるいは利用情報の表示は、実施例１あるいは２に準じて行われる。
【００３０】
以上のように、本実施形態によれば、次のような効果を奏する。なお、以下の実施形態における効果の説明では、本実施形態の各部について、特許請求の範囲における各構成要素をかっこ書きで示し、若しくは参照符号を付し、両者の対応関係を明確にした。
【００３１】
（１）昇降機の一部に表示されたＡＲタグ１，４と、撮像装置（撮像手段）及び表示装置（表示手段）、並びに前記ＡＲタグ１，４を前記昇降機の一部と共に撮影し、撮影画像を表示装置に表示させ、表示された前記ＡＲタグと前記昇降機の一部の画像に前記ＡＲタグによって指定された情報を重畳して表示させるＣＰＵ（制御手段）を含むスマートフォン（情報機器）と、を備えた昇降機の情報表示システムによれば、部外者や権限がない者に対しては案内情報等を提供することがなくなるので、情報表示のセキュリティー性を向上させることができる。また、リアルタイムで更新された在席状況や各階床の案内情報を手元で見ることが可能なので、利用者の利便性の向上を図ることができる。
【００３２】
（２）昇降機の一部が、エスカレータの運転盤２であるので、運転盤２の一部、例えばかごの呼び釦２１，２２，２３の表示に重畳して指定された情報３を表示させることができる。
【００３３】
（３）昇降機の一部が、エスカレータホールの操作盤５であるので、操作盤５の表示に重畳して所望の情報６を表示させることができる。
【００３４】
（４）昇降機の一部が、エスカレータのかご内の一部またはエレベータの一部であるので、前記かご内の一部またはエレベータの一部の表示に重畳して指定された情報を表示させることができる。
【００３５】
（５）指定された情報が、階床情報３ａ、階床毎の案内情報３ｂ、階床毎の在席・離席情報３ｃ、宣伝・広告情報３ｄの１つを含むので、利用者はスマートフォン（情報機器）の表示装置に前記各情報の少なくとも１つを表示させることができる。
【００３６】
（６）情報機器が、スマートフォン、カメラ付きパソコン、カメラ付き携帯及びデジタルカメラのうちの１つであるので、ＡＲ機能を実現するソフトウェアが予めインストールされていれば、前記指定された情報を表示させることができる。その際、ダウンロードの権限を規定することにより、権限のない者はダウンロードを不能となり、部外者や前記権限のない者は、案内表示を見ることを不可とすることができる。
【００３７】
（７）情報機器には、制御手段としてＡＲ機能を実現するソフトウェアが予めインストールされているので、当該ソフトウェアがインストールされている情報機器を持つ者だけが案内情報を表示させることができる。これにより、案内情報の表示を見ることができる者を選択的に限定することが可能となり、案内情報のセキュリティー性を確保することができる。
【００３８】
（８）任意の箇所にＡＲタグ１，４を表示し、撮像装置と表示装置とを有するスマートフォン（情報機器）を利用することで、事務所ビル、居住用ビルあるいはデパート等の関係者や利用者は情報を手元で観覧することができる。これにより、案内板やフロアマップといった案内表示関する物が不要になる。その結果、経費削減を図ることができる。また、複数の箇所にＡＲタグ１，４を表示しても同様の効果を奏するので、一箇所に集中することなく、ＡＲ機能を使用して案内情報等を表示させることができる。
【００３９】
なお、本発明は前述した実施形態に限定されず、本発明の要旨を逸脱しない範囲で種々の変形が可能であり、特許請求の範囲に記載された技術思想に含まれる技術的事項の全てが本発明の対象となる。前記実施例は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００４０】
１，４  ＡＲクグ
２  運転盤
２１，２２，２３  呼び釦
２１ａ，２２ａ，２３ａ  重畳画像
３，６  情報
３ａ，６ａ  階床情報
３ｂ，６ｂ  案内情報
３ｃ，６ｃ  在席・離席情報
３ｄ，６ｄ  宣伝・広告情報
５  操作盤
５ａ  重畳画像
【図１】
2015228072.tif 000003
【図２】
2015228072.tif 000004
【図３】
2015228072.tif 000005
【図４】
2015228072.tif 000006
【図５】
2015228072.tif 000007